【手続補正書】
【提出日】平成18年10月18日(2006.10.18)
【手続補正１】
【補正対象書類名】特許請求の範囲
【補正対象項目名】全文
【補正方法】変更
【補正の内容】
【特許請求の範囲】
【請求項１】
歯型鋳込治具であって、
ベース部材と、
ベース部材に固定され、歯型ベースを装着することが可能な歯型ベース支持部材と、
ベース部材に調節可能に固定され、人間の歯の鋳型を装着することが可能な鋳型支持部材あって、この鋳型支持部材は鋳型を歯型ベースに対して適切に位置決めするために、歯型ベース支持部材に対して調節可能であることを特徴とする歯型鋳込治具。
【請求項２】
請求項１記載の歯型鋳込治具で、前記鋳型支持部材はベース部材の面に対して２面方向に調節可能であることを特徴とする歯型鋳込治具。
【請求項３】
請求項１記載の歯型鋳込治具で、前記ベース部材は鋳型支持部材を調整位置に固定するロック機構を備えることを特徴とする歯型鋳込治具。
【請求項４】
請求項３記載の歯型鋳込治具で、前記ロック機構は鋳型支持部材の一部分に作用する磁石を備えることを特徴とする歯型鋳込治具。
【請求項５】
請求項４記載の歯型鋳込治具で、前記ロック機構は磁石に固定されたピボット部材と、ピボットポイントに対してピボット部材を移動させるためにピボット部材をかみ合わせるレバー部を備え、磁石の位置を調節することを特徴とする歯型鋳込治具。
【請求項６】
請求項５記載の歯型鋳込治具で、前記レバー部はベース部材の外側部分において利用可能であることを特徴とする歯型鋳込治具。
【請求項７】
請求項１記載の歯型鋳込治具で、前記鋳型支持部材は人間の歯の鋳型を装着することが可能な鋳型プラットホームを備えることを特徴とする歯型鋳込治具。
【請求項８】
請求項７記載の歯型鋳込治具で、前記鋳型プラットホームは鋳型支持部材に軸回転可能に固定され、ピボットポイントに対して移動可能であり、鋳型プラットホームは一定の回転した位置に固定できることを特徴とする歯型鋳込治具。
【請求項９】
請求項１記載の歯型鋳込治具で、前記歯型ベース支持部材は歯型ベースを取り外し可能なように備えた歯型取付プレートを装着できることを特徴とする歯型鋳込治具。
【請求項１０】
請求項１記載の歯型鋳込治具で、前記歯型ベース支持部材はベース部材に固定された第一部分と、歯型に装着するように備えられた第二部分で、第二部分は第一部分に固定され、第一ポジションと第二ポジション間を移動できることを特徴とする歯型鋳込治具。
【請求項１１】
請求項９記載の歯型鋳込治具で、前記取付プレートは取り外し可能なように歯型ベースを固定するために、歯型ベースのソケットとラッチを嵌合するボールとラッチを備えることを特徴とする歯型鋳込治具。
【請求項１２】
請求項１記載の歯型鋳込治具で、前記歯型ベースはピンロケーターと取替え可能であることを特徴とする歯型鋳込治具。
【請求項１３】
請求項１２記載の歯型鋳込治具で、前記ピンロケーターはピンロケーターに対し取り外し可能なように固定されたテーパ形状のピンを備え、人間の歯の鋳型を適切な歯の位置に配置することが可能であることを特徴とする歯型鋳込治具。
【請求項１４】
歯型鋳込治具を用いて歯型を形成する方法で、歯型鋳込治具はベース部材と、ベース部材に固定された歯型ベース支持部材と、ベース部材に調節可能に固定された鋳型支持材料と調整できる歯型ベース支持部材を備え、
人間の歯の鋳型を用意する工程、
鋳型を鋳型支持部材に装着する工程と、
歯型ベースを歯型ベース支持部材に装着する工程、
鋳型に歯型形成用材料を満たす工程、
鋳型支持部材をベース部材に調節する工程、
鋳型支持部材を歯型ベース支持部材に調節して、歯型ベースを歯型形成用材料とかみ合うようにする工程、
歯型形成用材料を硬化する工程、及び
鋳型を歯型形成用材料から分離させる工程からなることを特徴とする歯型鋳込治具を用いて歯型を形成する方法。
【請求項１５】
請求項１４記載の方法で、前記ベース部材と歯型ベース支持部材に調節可能な鋳型支持部材は、ロック機構を解除し、歯型ベース支持部材に対して鋳型支持部材の位置を調整し、ロック機構をロックするように構成されていることを特徴とする方法。
【請求項１６】
歯型鋳込治具を用いて歯型を形成する方法で、歯型ベースをスナップ接続によって鋳込治具に装着する工程を含むことを特徴とする方法。
【請求項１７】
請求項１６記載の方法で、前記スナップ接続はばねで留められていることを特徴とする方法。
【請求項１８】
請求項１７記載の方法で、前記ばねで留めたスナップ接続はボール、ソケットとラッチ構造からなることを特徴とする方法。
【請求項１９】
請求項１６記載の方法で、ピンロケーターをスナップ接続で鋳込治具に装着する工程を含むことを特徴とする方法。
【請求項２０】
歯型鋳込治具とともに使われるピンロケーターで、ピンロケーターはロケーターピンを装着するように構成された支持面を備えた本体部からなり、ロケーターピンは本体部に固定されて支持面から伸び、第一端部か第二端部の少なくとも1つは歯型鋳込治具に取り外し可能なように構成されることを特徴とする歯型鋳込治具と共に使用されるピンロケーター。
【請求項２１】
請求項２０記載のピンロケーターで、前記ロケーターピンは、鋳込治具に備えられた歯型と一線上となるように支持面上に位置決めされることを特徴とするピンロケーター。
【請求項２２】
請求項２０記載のピンロケーターで、前記本体部の第一あるいは第二端部は、鋳込治具に対するピンロケーターのボール・ソケット取付構造用構成されることを特徴とするピンロケーター。
【請求項２３】
請求項２０記載のピンロケーターで、前記本体部の第一あるいは第二端部は、鋳込治具に対するピンロケーターのラッチ取付構造を含むことを特徴とするピンロケーター。
【請求項２４】
鋳型装着面を備えた鋳型プラットホームと、この鋳型プラットホームを支持するスタンド部を有する鋳型支持部材からなる歯型鋳込治具であって、前記鋳型装着面は、前記鋳型プラットホームとは別体の硬化材料を用いて鋳型を装着するように構成されており、前記鋳型プラットホームの少なくとも一部は、前記スタンド部から取り外し可能であることを特徴とする歯型鋳込治具。
【請求項２５】
請求項２４記載の歯型鋳込治具であって、前記鋳型プラットホームは少なくとも二つの別個のピースを含むことを特徴とする歯型鋳込治具。
【請求項２６】
請求項２５記載の歯型鋳込治具であって、第一ピースは前記スタンド部に固定され、第二ピースは第一ピースに分離可能に装着されることを特徴とする歯型鋳込治具。
【請求項２７】
請求項２４記載の歯型鋳込治具であって、鋳型を鋳型プラットホームによって支持している間に、歯型ベースを鋳型に対して位置決めするように構成された歯型ベース支持部材を備えることを特徴とする歯型鋳込治具。
【請求項２８】
請求項２７記載の歯型鋳込治具であって、前記鋳型支持部材は鋳型の歯型に対する位置を変化させるように調節可能であることを特徴とする歯型鋳込治具。
【請求項２９】
請求項２６記載の歯型鋳込治具であって、第二ピースは外壁を備え、この外壁は第一ピースを取り囲むサイズのキャビティを形成するものであることを特徴とする歯型鋳込治具。
【請求項３０】
歯型鋳込治具用の鋳型プラットホームであって、
歯型鋳込治具に軸回転可能に装着される第一ピースと、
第一ピースに固定されるように構成される第二ピースであって、人間の歯の鋳型を取付手段を用いて装着するように構成された鋳型支持面を備える第二ピースとからなり、
第一ピース及び第二ピースは取付手段とは別体であり、互いに分離可能に接続されるように構成されることを特徴とする鋳型プラットホーム。
【請求項３１】
請求項３０記載の鋳型プラットホームであって、前記取付手段は硬化材料であることを特徴とする鋳型プラットホーム。
【請求項３２】
歯型鋳込治具を用いて歯型を形成する方法であって、歯型鋳込治具は鋳型プラットホームを支持する鋳型支持部材を含み、鋳型プラットホームは鋳型を支持するように構成され、
硬化材料を用いて鋳型プラットホームに装着する工程、
鋳型プラットホームを鋳型支持部材に取り付ける工程、
鋳型を鋳型プラットホームによって支持している間に、第一の歯型を形成する工程、及び
鋳型プラットホームを鋳型支持部材から取り外す工程からなることを特徴とする歯型鋳込治具を用いて歯型を形成する方法。
【請求項３３】
請求項３２記載の方法であって、異なる鋳型プラットホームを用いて前記工程を繰り返し、第二の歯型を形成することを特徴とする方法。
【請求項３４】
請求項３２記載の方法であって、前期歯型鋳込治具は、鋳型を鋳型プラットホームによって支持している間に、歯型ベースを鋳型に対して位置決めするように構成された歯型ベース支持部材を備え、前記方法は、鋳型を鋳型プラットホームによって支持している間に、鋳型の歯型ベースに対する位置を調節する工程を含むことを特徴とする方法。
【請求項３５】
歯型鋳込治具を最適に使用する方法であって、歯型鋳込治具はベースと、ベースに調節可能に装着される鋳型支持部材を備え、鋳型支持部材は少なくとも第一と第二の鋳型支持面を有する鋳型プラットホームを支持し、各鋳型支持面は鋳型を装着するように構成され、
第一の鋳型を第一鋳型支持面に装着する工程、
第二の鋳型を第二鋳型支持面に装着する工程、
第一の鋳型支持面を鋳型プラットホームに取り付ける工程、
歯型鋳込治具を用いて第一の鋳型から第一の歯型を形成する工程、
第一の鋳型支持面を鋳型プラットホームから取り外す工程、
第二の鋳型支持面を鋳型プラットホームに取り付ける工程、及び
歯型鋳込治具を用いて第二の鋳型から第二の歯型を形成する工程からなることを特徴とする歯型鋳込治具を最適に使用する方法。
【請求項３６】
請求項３６に記載の方法であって、前記鋳型プラットホームは、３つかそれ以上の鋳型支持面を有し、別々の鋳型を各鋳型支持面に装着し、各鋳型支持面を鋳型プラットホームに取り付け、各鋳型からそれぞれ別の歯型を形成することを特徴とする方法。